(57)【要約】【課題】マルチ画面システムで立体表示を行おうとする場合などにおいて、複数の立体表示装置に共通する同期信号が存在しないため、シャッター眼鏡をかけて複数の立体表示装置を視聴する場合、複数の立体表示装置の各々に表示される全ての左眼用画像および右眼用画像とシャッター眼鏡の左右のシャッターの開閉との同期が保証されず、正しく立体表示を視聴することができない。【解決手段】左目用／右目用画像を交互に表示する立体表示装置に、左目用／右目用画像の表示切替タイミングを示す第１の同期信号を送信する第１同期信号送信手段と、左目用／右目用シャッターが開閉されるシャッター眼鏡に、左目用／右目用画像の表示切替タイミングに同期して左目用／右目用シャッターの開閉タイミングを示す第２の同期信号を送信する第２同期信号送信手段とを有するリモコンを使うことで、マルチ画面立体表示システムを提供する。【選択図】図４
2013042194.tif 000002
【特許請求の範囲】
【請求項１】
左目用画像および右目用画像を交互に表示する立体表示装置に、前記左目用画像および前記右目用画像の表示切替タイミングを示す第１の同期信号を送信する第１同期信号送信手段と、
左目用シャッターおよび右目用シャッターが開閉されるシャッター眼鏡に、前記立体表示装置に表示される前記左目用画像および前記右目用画像の表示切替タイミングに同期して前記左目用シャッターおよび前記右目用シャッターの開閉タイミングを示す第２の同期信号を送信する第２同期信号送信手段と
を有するリモコン。
【請求項２】
前記第１の同期信号が前記リモコンの第１の特定コードまたは第１の所定コードの付加情報である請求項１に記載のリモコン。
【請求項３】
前記第２の同期信号が前記リモコンの第２の特定コードまたは第２の所定コードの付加情報である請求項１または請求項２に記載のリモコン。
【請求項４】
左目用画像および右目用画像を交互に表示する立体表示装置に、前記左目用画像および前記右目用画像の表示切替タイミングと、
左目用シャッターおよび右目用シャッターが開閉されるシャッター眼鏡に、前記立体表示装置に表示される前記左目用画像および前記右目用画像の表示切替タイミングに同期して前記左目用シャッターおよび前記右目用シャッターの開閉タイミングとを
示す同期信号を送信する同期信号送信手段
を有するリモコン。
【請求項５】
前記同期信号が前記リモコンの特定コードまたは所定コードの付加情報である請求項４に記載のリモコン。
【請求項６】
１つの立体画像の一部分である部分立体画像の左目用画像および右目用画像を交互に表示する複数の立体表示装置と、
前記１つの立体画像を表示するために前記複数の立体表示装置の各々に前記部分立体画像の左目用画像および右目用画像の表示切替タイミングを示す第３の同期信号を送信するリモコンと
から成るマルチ画面立体表示システム。
【請求項７】
前記複数の立体表示装置の各々は、所定画面数の部分立体画像の左目用画像および右目用画像を表示時刻情報と共に記憶する記憶手段を有し、前記第３の同期信号を受信すると前記表示時刻情報と前記第３の同期信号とに基づいて前記記憶手段に記憶された表示すべき画像を選択して表示する請求項６記載のマルチ画面立体表示システム。
【請求項８】
前記第３の同期信号が前記リモコンの第３の特定コードまたは第３の所定コードの付加情報である請求項６または請求項７に記載のマルチ画面立体表示システム。
【発明の詳細な説明】
【技術分野】
【０００１】
本発明は、立体表示装置に表示された画像をシャッター眼鏡で視聴する立体表示技術に関し、特に、リモコンにより立体表示装置を制御する技術に関するものである。
【背景技術】
【０００２】
近年、画像表示技術における一分野として、画像表示装置と視聴用のシャッター眼鏡とを使用し、画像表示装置に交互に表示される左眼用画像および右眼用画像の表示に同期してシャッター眼鏡の左眼用シャターおよび右眼用シャッターを開閉することで立体画像を視聴可能にする立体表示システムが普及しつつある。
【０００３】
この立体表示システムでは、画像表示装置に表示される左眼用画像および右眼用画像と同期させてシャッター眼鏡の左右のシャッターを開閉する技術が重要であり、シャッターの開閉に係わる制御技術の良否が立体画像の表示品質を直接左右することになる。
【０００４】
このシャッターの開閉に係わる従来の制御技術としては、画像表示装置などに付設されたコントローラ、アダプタおよび入出力ユニットからシャッター眼鏡に対してシャッターの開閉に係わる信号を送信し、シャッター眼鏡におけるシャッター開閉制御を行う方法などが開示されている（例えば、特許文献１〜３参照）。これらの事例では、表示装置からシャッター眼鏡に対して同期信号を送信することにより、立体表示に係わる表示装置における左眼用画像および右眼用画像の表示とシャッター眼鏡の左右のシャッターの開閉との同期を確保していた。
【先行技術文献】
【特許文献】
【０００５】
【特許文献１】特開昭６２−２２７２９７号公報
【特許文献２】特開昭６２−２６９９７号公報
【特許文献２】特開２００４−１３００２６号公報
【発明の概要】
【発明が解決しようとする課題】
【０００６】
しかしながら、従来の立体表示装置からシャッター眼鏡に対して送信する同期信号は、特定の立体表示装置に表示される立体画像に係わる同期信号であり、特定の立体表示装置に固有の情報である。すなわち、マルチ画面システム（複数の表示装置で１つの画像を表示するシステム）で立体表示を行おうとする場合や複数の立体表示装置における立体表示画像を連携させて使用する場合などにおいて、複数の立体表示装置に共通する同期信号が存在しない。そのため、シャッター眼鏡をかけて複数の立体表示装置を視聴する場合、複数の立体表示装置の各々に表示される全ての左眼用画像および右眼用画像とシャッター眼鏡の左右のシャッターの開閉との同期が保証されず、正しく立体表示を視聴することができない。
【０００７】
本発明は、上記の課題を解決することにより、高機能で汎用性に優れた立体表示装置用リモコンおよびマルチ画面立体表示システムを提供することを目的とする。
【課題を解決するための手段】
【０００８】
上記課題を解決するために、本発明のリモコンは、左目用画像および右目用画像を交互に表示する立体表示装置に、左目用画像および右目用画像の表示切替タイミングを示す第１の同期信号を送信する第１同期信号送信手段と、左目用シャッターおよび右目用シャッターが開閉されるシャッター眼鏡に、立体表示装置に表示される左目用画像および右目用画像の表示切替タイミングに同期して左目用シャッターおよび右目用シャッターの開閉タイミングを示す第２の同期信号を送信する第２同期信号送信手段とを有することを特徴とする。
【０００９】
このような構成により、複数の画像表示装置に対して、一括して左目用画像および右目用画像の表示切替の同期を確保することができ、このようなリモコンを使用することで複数の立体表示装置に表示される複数の画像から構成される立体画像をシャッター眼鏡で視聴することができる。
【００１０】
また、本発明のリモコンは、第１の同期信号をリモコンの第１の特定コードまたは第１の所定コードの付加情報といったリモコンコードに割り当てることにより、第１の同期信号の送信においてリモコンの出力回路を利用することができ、第1の同期信号を送信するための出力回路をリモコンに新たに付設する必要がなく、回路構成を簡略化し、コストメリットの効果を発揮することができる。
【００１１】
また、本発明のリモコンは、第２の同期信号をリモコンの第２の特定コードまたは第２の所定コードの付加情報といったリモコンコードに割り当てることにより、第２の同期信号の送信においてリモコンの出力回路を利用することができ、第２の同期信号を送信するための出力回路をリモコンに新たに付設する必要がなく、回路構成を簡略化し、コストメリットの効果を発揮することができる。
【００１２】
また、本発明のマルチ画面立体表示システムは、１つの立体画像の一部分である部分立体画像の左目用画像および右目用画像を交互に表示する複数の立体表示装置と、１つの立体画像を表示するために複数の立体表示装置の各々に部分立体画像の左目用画像および右目用画像の表示切替タイミングを示す第３の同期信号を送信するリモコンから成る。
【００１３】
このような構成により、１つの立体画像の一部分である部分立体画像の左目用画像および右目用画像を交互に表示する複数の立体表示装置の各々に対して、部分立体画像の左目用画像および右目用画像の表示切替タイミングを示す第３の同期信号を送信し、１つの立体画像を表示することが可能となる。そのため、部分立体画像を表示する複数の立体表示装置に対して、一括して左目用画像および右目用画像の表示切替の同期を確保することが可能になる。したがって、このようなリモコンを使用することで複数の立体表示装置に表示される部分立体画像から構成される１つの立体画像をシャッター眼鏡で視聴することができる。
【００１４】
また、本発明のマルチ画面立体表示システムは、複数の立体表示装置の各々は、所定画面数の部分立体画像の左目用画像および右目用画像を表示時刻情報と共に記憶する記憶手段を有し、第３の同期信号を受信すると表示時刻情報と第３の同期信号とに基づいて記憶手段に記憶された表示すべき画像を選択して表示する。
【００１５】
このような構成により、複数の立体表示装置の各々は、所定画面数の部分立体画像の左目用画像および右目用画像を表示時刻情報と共に記憶手段に記憶し、第３の同期信号を受信すると表示時刻情報と第３の同期信号とに基づいて記憶手段に記憶された表示すべき画像を選択して表示することが可能となる。そのため、複数の立体表示装置の各々は、リモコンから受信した表示時刻情報および同期信号に基づいて指定された時刻に表示すべき画像を容易かつ確実に選択して表示することができる。
【００１６】
また、本発明のマルチ画面立体表示システムは、第３の同期信号がリモコンの第３の特定コードまたは第３の所定コードの付加情報といったリモコンコードに割り当てることにより、第３の同期信号の送信においてリモコンの出力回路を利用することができ、第３の同期信号を送信するための出力回路を新たに付設する必要がなく、回路構成を簡略化し、コストメリットの効果を発揮することができる。
【発明の効果】
【００１７】
本発明によれば、複数の画像表示装置に対して、一括して左目用画像および右目用画像の表示切替の同期を確保することが可能となり、複数の立体表示装置を使用して一つの立体画像を表示するマルチ画面立体表示システムや複数の立体表示装置に表示された立体表示画像を連携させることのできる立体表示システムを提供することができる。
【図面の簡単な説明】
【００１８】
【図１】本発明の実施の形態１のマルチ画面立体表示システムにおける立体表示装置、シャッター眼鏡およびリモコンの概観を示す斜視図である。
【図２】本発明の実施の形態１における立体表示装置、シャッター眼鏡およびリモコンの主要構成を示すブロック図である。
【図３】本発明の実施の形態１における立体表示装置とシャッター眼鏡の同期動作を示すタイミングチャートである。
【図４】本発明の実施の形態１のリモコンの構成を示すブロック図である。
【図５】標準的なリモコンデータフォーマットの一例を示す図である。
【図６】テレビにおけるリモコンコードと内部ジョブの対応の例を示す図である。
【図７】本発明の実施の形態１の立体表示装置の第１同期信号受信処理を説明する図である。
【図８】本発明の実施の形態１におけるマルチ画面立体表示システムの説明図である。
【図９】本発明の実施の形態１におけるマルチ画面立体表示システムに対する比較例を示す図である。
【発明を実施するための形態】
【００１９】
以下に、本発明の実施の形態を図１〜図９を用いて説明する。
【００２０】
なお、以下では、左右の視差画像の表示順を左眼用の次に右眼用として立体表示を行う場合について説明しているが、表示順を右眼用の次に左眼用としても良い。
【００２１】
（実施の形態１）
図１は、本実施の形態１のマルチ画面立体表示システム（以下、「本システム」と略記する）１を構成する立体表示装置１００、シャッター眼鏡２００およびリモコン３００の概観を示す斜視図である。
【００２２】
本システム１は、マルチ画面立体画像の一部を表示する立体表示装置１００、シャッター眼鏡（以下、「眼鏡」と略記する）２００およびリモートコントロール装置（以下、「リモコン」と略記する）３００を備えている。
【００２３】
立体表示装置１００は、表示部１３０および赤外線受光素子を有する赤外線受信部１８０を備え、表示部１３０には左眼用の画像（以下、「Ｌ画像」と略記する）と右眼用の画像（以下、「Ｒ画像」と略記する）を交互に表示することができ、赤外線受信部１８０でリモコン３００から赤外線により送信されるＬ画像およびＲ画像（以下、「画像」と略記する）の表示開始タイミングを示す同期信号（以下、画像の表示開始タイミングを示す同期信号を「Ｖ同期信号」と略記する）を受信する。
【００２４】
眼鏡２００は、左眼用シャッター（以下、「左シャッター」と略記する）２１０ａ、右眼用シャッター（以下、「右シャッター」と略記する）２１０ｂおよび赤外線受光素子２２０を備えており、リモコン３００から赤外線により送信されるシャッター切替同期信号を赤外線受光素子２２０で受信し、立体表示装置１００に表示される画像と同期するように、左シャッター２１０ａによって左眼に入射する光を制御し、右シャッター２１０ｂによって右眼に入射する光を制御することができる。
【００２５】
左シャッター２１０ａおよび右シャッター２１０ｂはそれぞれ光学フィルタ（図示せず）を備えており、赤外線受光素子２２０が受信した信号に基づいて入射する光のＯＮ（透過）／ＯＦＦ（遮断）を制御することができる。なお、Ｌ画像とＲ画像は左眼と右眼の視差分だけ表示情報が異なっており、視聴者は表示される画像と同期して左シャッター２１０ａと右シャッター２１０ｂが開閉される眼鏡２００を介して画像を見ることで、立体表示装置１００が表示するマルチ画面立体画像の一部を立体的な画像として知覚することができる。これにより、立体表示装置１００と同様の本システム１における他の立体表示装置に表示される立体画像と共に１つの立体表示画像が眼鏡２００を使って視聴することができる。
【００２６】
リモコン３００は、映像表示装置用の通常の機能を備えたリモコンを使用し、標準のリモコンデータフォーマットに準拠して、本システム１の同期制御に係わる特定のコードを設定し、設定したコードに対して内部ジョブの割り当てを行う。リモコン３００の操作面には、機能別に配列された押しボタンとして、機能選択ボタン３０１、決定ボタン３０２、および決定ボタン３０２の周囲の上下左右に位置する４個の指向設定ボタン３０３を備えている。本システム１では、リモコン３００から立体表示装置１００およびシャッター眼鏡２００に対してそれぞれ同期信号が発信され、立体表示装置１００およびシャッター眼鏡２００でリモコンから発信された同期信号（以下、「リモコン同期信号」と略記する）が受信される。なお、リモコン３００の詳細な構成および機能については後述する。
【００２７】
次に、立体表示装置１００および眼鏡２００の構成および機能について、図２、図３により説明する。
【００２８】
図２は、本実施の形態１の立体表示装置１００、眼鏡２００およびリモコン３００の主要構成を示すブロック図であり、図３は、立体表示装置１００と眼鏡２００の同期動作を示すタイミングチャートである。
【００２９】
図２に示すように、立体表示装置１００は、復号部１１０、信号処理部１２０、ＣＰＵ１４０、メモリ１５０、クロック１６０、画像を表示する表示部１３０、リモコン３００から送信されるリモコン信号である赤外線信号を受信する赤外線受信部１８０、および赤外線受信部１８０で受信したリモコン信号に対応した処理をするリモコン信号処理部１７０を備える。
【００３０】
復号部１１０は、入力される符号化された画像信号を復号化して画像データを所定の様式で出力する。画像の符号化には、ＭＰＥＧ（Ｍｏｔｉｏｎ  Ｐｉｃｔｕｒｅ  Ｅｘｐｅｒｔｓ  Ｇｒｏｕｐ）−２や、ＭＰＥＧ−４、Ｈ２６４などの方式を使用する。
【００３１】
信号処理部１２０は、復号部１１０から受信した画像データを立体画像として表示するための信号処理を行う。具体的には、復号部１１０で復号された画像からＬ画像およびＲ画像を抽出、または、復号された画像からＬ画像およびＲ画像を生成し、抽出または生成したＬ画像およびＲ画像を時間的に交互に表示部１３０に出力する。さらに、Ｖ同期信号を含む出力信号を生成して表示部１３０に送信する。また、信号処理部１２０はフレームメモリ１２１を備え、生成したＬ画像およびＲ画像を表示時刻情報と共にフレームメモリ１２１内のＬ画像メモリおよびＲ画像メモリ（いずれも図示せず）にそれぞれ記録し、読み出すことができる。
【００３２】
ＣＰＵ１４０は、メモリ１５０に記憶されたプログラムに従って外部からの入力信号に基づいて、立体表示装置１００の全体の制御を行う。
【００３３】
メモリ１５０は、ＣＰＵ１４０が実行するプログラムやプログラム実行時に必要なデータを記憶する。メモリ１５０としては、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）など、汎用の記憶素子が使用される。
【００３４】
クロック１６０は、立体表示装置１００の動作基準となるクロック信号を供給する。
【００３５】
表示部１３０は、信号処理部１２０から出力される画像を表示するものであり、ＣＲＴ、液晶表示パネル（ＬＣＤ）、プラズマディスプレイパネル（ＰＤＰ）、有機ＥＬなどである。
【００３６】
一方、眼鏡２００は、左シャッター２１０ａと、右シャッター２１０ｂと、リモコン３００から送信されてくるシャッター切替同期信号を受信する赤外線受光素子を有する赤外線受信部２２０と、シャッターの開閉制御を行う開閉制御部２３０、メモリ２４０、およびクロック２５０とを備える。
【００３７】
開閉制御部２３０は、赤外線受信部２２０で受信したシャッター切替同期信号に基づいて、左シャッター２１０ａおよび右シャッター２１０ｂの開閉指示をシャッター２１０に出力する。左シャッター２１０ａおよび右シャッター２１０ｂは、利用者が眼鏡２００を着用した際に、利用者の左眼および右眼に対応した位置にそれぞれ付設される。また、左シャッター２１０ａおよび右シャッター２１０ｂは、それぞれ光の透過量を制御する光学フィルタ（図示せず）を備えており、開閉制御部２３０からの開閉指示に基づいて利用者の左眼および右眼に入射する光のＯＮ（入射）／ＯＦＦ（遮断）を表示部１３０に交互に表示されるＬ画像およびＲ画像に同期するように制御され、利用者に所望の立体画像を視認させることができる。
【００３８】
メモリ２４０は、ＣＰＵ（図示せず）が実行するプログラムやプログラムの実行時に必要なデータを記憶する。
【００３９】
クロック２５０は、眼鏡２００の動作基準となるクロック信号を供給する。
【００４０】
なお、本実施の形態１では、立体表示装置１００および眼鏡２００と、リモコン３００との信号の送受信に赤外線を使用しているが、有線信号、他の無線信号、超音波などを使用することもできる。
【００４１】
図３は、本実施の形態１における立体表示装置１００に表示される画像と眼鏡２００のシャッター開閉の同期動作を示すタイミングチャートである。
【００４２】
図３に示すように、リモコン３００が立体表示装置１００に対してＬ画像およびＲ画像の表示切替タイミングを示す同期信号（以下、第１同期信号と略記する）を送信すると、立体表示装置１００は第１同期信号を受信し、第１同期信号に基づいて表示部１３０にＬ画像およびＲ画像を交互に表示する。また、リモコン３００は第１同期信号に基づいて眼鏡２００の左シャッターおよび右シャッターの開閉タイミングを示す同期信号（以下、第２同期信号と略記する）を生成し、第１同期信号とタイミングを調整した上で、眼鏡２００に対して第２同期信号の送信を行う。
【００４３】
この結果、例えば、第１同期信号に基づくタイミングで立体表示装置１００にＬ画像が表示されると、眼鏡２００は第２同期信号に基づくタイミングで左シャッター２１０ａを開き（透視状態）、右シャッター２１０ｂを閉じ（遮蔽状態）、利用者はＬ画像を左眼だけで見ることができる。
【００４４】
同様に、第１同期信号に基づくタイミングで立体表示装置１００にＲ画像が表示されると、眼鏡２００は第２同期信号に基づくタイミングで右シャッター２１０ｂを開き（透視状態）、左シャッター２１０ａが閉じ（遮蔽状態）、利用者はＲ画像を右眼だけで見ることができる。
【００４５】
以後、リモコン３００から送信された第１同期信号と第２同期信号に基き、Ｌ画像とＲ画像の表示切替タイミングに同期して眼鏡２００の左シャッター２１０ａと右シャッター２１０ｂの開閉が行われることにより、利用者は、眼鏡２００を通して立体表示装置１００の表示部１３０に表示される画像を立体的に視認することができる。なお、リモコン３００から送信された第１同期信号は立体表示装置１００に記憶され、立体表示装置１００は記憶された第１同期信号に基いて自立的にＬ画像とＲ画像の表示切り替えを行う。眼鏡２００についても同様である。
【００４６】
図４は、本実施の形態１のリモコン３００の構成を示すブロック図である。
【００４７】
本システム１は、リモコン３００から立体画像の表示に必要な第１同期信号および第２同期信号を送信し、リモコン３００から送信された第１同期信号を立体表示装置１００が受信し、第２同期信号を眼鏡２００が受信することにより、立体画像表示における立体表示装置１００と眼鏡２００の同期制御を行う。
【００４８】
リモコン３００は、通常のテレビ用のリモコンとしての機能に係わる回路構成に加えて、立体表示装置１００および眼鏡２００に対する第１同期信号および第２同期信号の送信のために、同期信号生成部３１０、送信部３２０、メモリ３３０およびクロック３４０を備えている。なお、リモコン３００は、本システム１における専用のリモコンであっても良い。
【００４９】
メモリ３３０は、ＣＰＵ（図示せず）が実行するプログラムやプログラム実行時に必要なデータを記憶する。メモリ３３０としては、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）など、汎用の記憶素子が使用される。
【００５０】
クロック３４０は、リモコン３００の同期信号生成部３１０が第１同期信号および第２同期信号を生成するのに必要なクロック信号を供給する。
【００５１】
送信部３２０は、第１送信部３２１、第２送信部３２２、送信制御部３２３および二つの赤外線発光素子（図示せず）を備えている。
【００５２】
同期信号生成部３１０は、メモリ３３０に記憶されたリモコン・フォーマットに係わる情報および同期信号の生成に係わるプログラムに基づいて立体表示装置１００および眼鏡２００に送信すべき第１同期信号および第２同期信号の生成を行い、送信部３２０に送信する。
【００５３】
送信部３２０は、同期信号生成部３１０から受信した情報に基づき、第１送信部３２１において、立体表示装置１００に対する第１同期信号を赤外線信号に変換して第１同期信号を赤外線発光素子（図示せず）から送信する。同様に、第２送信部３２２において、眼鏡２００に対する第２同期信号を赤外線信号に変換して第２同期信号を赤外線発光素子（図示せず）から送信する。
【００５４】
送信制御部３２３は、第１送信部３２１および第２送信部３２２から第１同期信号および第２同期信号を送信する際のタイミングの整合などを行う。
【００５５】
次に、第１同期信号および第２同期信号のコードの設定について、図５、図６を用いて説明する。
【００５６】
図５は標準的なリモコンデータフォーマットの例を示す図であり、図６はテレビにおけるリモコンコードと内部ジョブの対応の例を示す図である。
【００５７】
例えば、リモコンの「１」のキーが押された場合には、図６に示すように、「１０ｈ」のコマンドデータがリモコンから送信され、内部ジョブとして「Ｒ＿１」処理が行われて「１ｃｈ」を選局する制御が実行される。
【００５８】
これに対して、本システム１のリモコン３００では、図５に示す標準的なリモコンデータフォーマットに準拠した第１同期信号として、所定のリモコンデータの付加情報としてＬ画像またはＲ画像の表示タイミングに関するコマンドデータ（以下、「左右識別タイミング情報」と略記する）を割り当て、割り当てた所定のリモコンデータに対応する押しボタンを押し下げることにより、左右識別タイミング情報を立体表示装置１００および眼鏡２００に送信する。なお、左右識別タイミング情報を、新たに設定したリモコンの特定コード（任意に作成できる）に割り付けても良い。所定のリモコンデータの付加情報とする場合には、例えば図６において、「０」キーに対する内部ジョブとしてＬ画像表示を意味する「３Ｄ＿Ｌ」を割り当てることにより、「０」キーの押し下げは左右識別タイミング情報としてのＬ画像表示を意味するリモコンデータと認識され、Ｌ画像の表示に係わる同期処理の制御を指示することになる。
【００５９】
同様に、リモコン３００から眼鏡２００に送信する第２同期信号として、左シャッター２１０ａの開放を意味するコマンドデータ「３Ｄ＿Ｇ＿Ｌ」を他の所定のリモコンデータの付加情報またはリモコンの特定コードに割り当てることができる。
【００６０】
次に、リモコンから第１同期信号および第２同期信号を受信した立体表示装置１００および眼鏡２００の処理について説明する。
【００６１】
図７は、立体表示装置１００の第１同期信号受信処理を説明する図である。
【００６２】
図７に示すように、立体表示装置１００のリモコン信号処理部１７０は、リモコンコード識別部１７１、リモコン信号割り込み部１７２、同期信号生成部１７３および位相調整部１７４を備えている。
【００６３】
赤外線受信部１８０がリモコン３００から受信した第１同期信号としての立体表示装置１００に対するＬ画像用同期信号は、リモコン信号処理部１７０のリモコンコード識別部１７１およびリモコン信号割り込み部１７２に入力される。
【００６４】
リモコンコード識別部１７１で識別された情報（今の場合は、Ｌ画像用同期信号）は、リモコン信号割り込み部１７２で生成されるリモコン信号受信割り込み信号と共に、同期信号生成部１７３に送信され、割り込み処理が実行される。
【００６５】
同期信号生成部１７３は、立体表示装置１００においてＬ画像表示の基準となる同期信号を生成し、位相調整部１７４に送信する。
【００６６】
位相調整部１７４は、信号処理部１２０内のフレームメモリ１２１に記憶されている表示時刻情報とＬ画像情報Ｓ１および同期信号生成部１７３から受信したＬ画像用同期信号に基づいてＬ画像情報Ｓ１の位相の調整を行う。図７に示すように、Ｌ画像情報Ｓ１の位相がＬ画像用同期信号に対してｔ１の位相差を有する場合には、位相調整部１７４においてｔ１の位相差の補正を行ってＬ画像用同期信号と同期したＬ画像情報Ｓ１ａを表示時刻情報と共に信号処理部１２０に送信する。立体表示装置１００と共にマルチ画面立体表示システムを構成する他の立体表示装置に表示されるＬ画像情報Ｓ２に対しても同様の画像位相調整を行う。
【００６７】
このように、立体表示装置１００は、第1同期信号に基づき、信号処理部１２０がフレームメモリ１２１から表示すべきＬ画像またはＲ画像を選択して読み出し、リモコン信号処理部１７０がＬ画像またはＲ画像の位相調整を行い、リモコン３００から送信されたＬ画像またはＲ画像の表示切替タイミングを示す第1同期信号と同期してＬ画像およびＲ画像を交互に表示することができる。
【００６８】
眼鏡２００は、赤外線受信部２２０でリモコン３００から送信された眼鏡２００の左右のシャッター２１０の開閉タイミングを示す第２同期信号を受信し、左右のシャッター２１０の開閉を制御するための同期信号を開閉制御部２３０に送信する。これにより、眼鏡２００は、リモコン３００から送信された第２リモコン同期信号に基づいて、立体画像の視聴に係わるシャッター２１０の開閉制御を行うことができる。
【００６９】
なお、眼鏡２００がリモコン３００からの第２同期信号を受信できない場合には、立体表示装置１００においてリモコン３００からの第１同期信号に基づくＬ画像またはＲ画像の位相補正の情報から眼鏡２００のシャッター開閉用の同期信号を生成し、眼鏡２００に送信することもできる。なお、立体表示装置１００から眼鏡２００へのシャッター開閉用の同期信号の送信は従来の立体表示システムと同様なので、説明は省略する。
【００７０】
次に、以上に述べた本システム１を応用して得られるマルチ画面立体表示システムについて説明する。
【００７１】
図８は、本発明の実施の形態１におけるマルチ画面立体表示システムの説明図である。
【００７２】
本システム１において、リモコン３００は、１つの立体画像を表示するために複数の立体表示装置１００の各々に表示される部分立体画像のＬ画像およびＲ画像の表示切替タイミングを示すための第３の同期信号（以下、「第３同期信号」と略記する）を送信する。
【００７３】
リモコン３００において、立体表示装置１００に第１同期信号を送信するために第１の特定コードまたは第１の所定コードの付加情報が第１のリモコンコードとして割り当てられること、眼鏡２００に第２同期信号を送信するために第２の特定コードまたは第２の所定コードの付加情報が第２のリモコンコードとして割り当てられることはすでに述べた。同様に、マルチ画面立体表示システムにおけるリモコン３００には、複数の立体表示装置の各々に対して１つの立体画像を構成する部分立体画像のＬ画像およびＲ画像の表示切替タイミングを示す第３の同期信号を送信するために、第３の特定コードまたは第３の所定コードの付加情報が第３のリモコンコードとして割り当てられている。
【００７４】
以下に、４台の立体表示装置１００の各々に表示される４つの部分立体画像Ａ１〜Ａ４から構成される一つの立体画像Ａを表示するマルチ画面立体表示システムについて説明する。
【００７５】
図８に示すように、本マルチ画面立体表示システムは、１つの立体画像Ａの一部分である部分立体画像Ａ１〜Ａ４のＬ画像およびＲ画像を交互に表示する立体表示装置１００が４台備えられている。このような構成により立体画像Ａを表示する場合、図８（ａ）に示すように、リモコン３００から４台の立体表示装置１００に送信される第３同期信号によって部分立体画像Ａ１〜Ａ４のＬ画像およびＲ画像の表示切替タイミングの位相が調整される。一方、リモコン３００から眼鏡２００に送信される第２同期信号によって眼鏡２００の左右のシャッター開閉のタイミングが部分立体画像Ａ１〜Ａ４のＬ画像およびＲ画像の表示切替タイミングに同期させられる。これにより、４台の立体表示装置１００に表示される立体映像Ａ（図８（ｂ））を、眼鏡２００を介して正しい立体映像Ａａ（図８（ｃ））として見ることができる。なお、立体映像Ａは期間Ｖ１（図８（ａ））において４台の立体表示装置１００に表示される映像であり、立体映像Ａａは同じ期間Ｖ１において眼鏡２００を介して左眼で見る立体映像を示す。
【００７６】
図９は、上記マルチ画面立体表示システムに対して、４台の立体表示装置１００に表示される映像の同期がとれていない場合の比較例を示す図である。
【００７７】
図９に示すように、部分立体画像Ａ１〜Ａ４のＬ画像およびＲ画像の表示切替タイミングが揃っておらず、部分立体映像Ａ１のＬ画像およびＲ画像の表示切替タイミングだけが眼鏡２００の左右のシャッター開閉タイミングと揃っている場合には、４台の立体表示装置１００に表示される立体映像Ａ（図９（ｂ））を、眼鏡２００を介して図８（ｃ）に示したような正しい立体映像Ａａとして見ることができず、図９（c）に立体映像Ａｂとして模式的に示したように、部分立体映像Ａ１だけが正しい立体映像となるが、部分立体映像Ａ２〜Ａ４は位相差のある映像となって全体として正しい立体映像Ａａを見ることができない。
【００７８】
図８に示したマルチ画面立体表示システムでは、部分立体画像Ａ１〜Ａ４のＬ画像およびＲ画像の表示切替タイミングが揃っていない場合に、リモコン３００から第３同期信号を送信することで、４台の立体表示装置１００の各位相調整部１７０がＬ画像およびＲ画像の表示切替タイミングの位相差を補正することで、部分立体画像Ａ１〜Ａ４のＬ画像およびＲ画像の表示切替タイミングを眼鏡２００の左右のシャッター開閉タイミングに揃えることができ、マルチ画面による立体映像を正しく視聴することができる。
【００７９】
なお、上記で記載したマルチ画面立体表示システムは、複数台の立体表示装置が密着して配列されるような形態に付いて述べたが、１台の立体表示装置が複数の画面に分割され、
分割画面の各々を独立の分割画面制御部が制御するような場合に、リモコンから受信した第３同期信号に対して、各々の分割画面制御部が複数台の立体表示装置の場合と同様な制御をすることで立体表示を行うような形態であっても良い。
【００８０】
なお、上記実施の形態に記載した第１同期信号〜第３同期信号は、その内の少なくとも２つあるいは３つが同一の同期信号であって、立体表示装置と眼鏡との同期および複数台の立体表示装置と眼鏡との同期を１つのリモコンコードで制御できるようにしても良い。
【００８１】
以上に述べた通り、本発明によれば、一括して複数の立体画像のＬ画像およびＲ画像の表示切替タイミングとシャッター眼鏡の左右のシャッター開閉タイミングの同期を確保することができ、複数の立体表示装置を使用して一つの立体画像を表示するマルチ画面立体表示システムや複数の立体表示装置に表示された立体表示画像を連携させることのできる立体表示システムを提供することができる。
【００８２】
また、通常のリモコンに対して複数の立体表示装置やシャッター眼鏡に送信する同期信号に対応したリモコンコードを割り当てることで、比較的簡単にマルチ画面立体表示システムを構成することができる。
【産業上の利用可能性】
【００８３】
本発明の立体表示装置用リモコンおよびマルチ画面立体表示システムは、複数の表示装置、シャッター眼鏡、および複数の表示装置に表示される複数の立体画像とシャッター眼鏡との同期を確保するリモコンとを使った立体画像表示システムに適用できる。
【符号の説明】
【００８４】
１    立体表示システム
１００    立体表示装置
１１０    復号部
１２０    信号処理部
１２１    フレームメモリ
１３０    表示部
１４０    ＣＰＵ
１８０，２２０    赤外線受信部
１５０，２４０，３３０    メモリ
１６０，２５０，３４０    クロック
１７０    リモコン信号処理部
１７１    リモコンコード識別部
１７２    リモコン信号割り込み部
１７３    同期信号生成部
１７４    位相調整部
２００    シャッター眼鏡
２１０ａ    左眼用シャッター
２１０ｂ    右眼用シャッター
２３０    開閉制御部
３００    リモコン
３１０    同期信号生成部
３２０    送信部
３２１    第１送信部
３２２    第２送信部
３２３    送信制御部
【図１】
2013042194.tif 000003
【図２】
2013042194.tif 000004
【図３】
2013042194.tif 000005
【図４】
2013042194.tif 000006
【図５】
2013042194.tif 000007
【図６】
2013042194.tif 000008
【図７】
2013042194.tif 000009
【図８】
2013042194.tif 000010
【図９】
2013042194.tif 000011